(57)【要約】【課題】縫い線を縫い順に従って表示する時間を短縮できる縫製データ表示装置及び縫製装置を提供する。【解決手段】縫製データに含まれる複数の縫い線を表示する表示部と、表示部を制御し、複数の縫い線を個々に表示する制御部と、を備える縫製データ表示装置において、縫製データに含まれる複数の縫い線を表示する表示部と、表示部を制御するＣＰＵと、操作者の指示を受付ける操作部とを備え、ＣＰＵは、操作者の指示に従って、縫い順に基づき、縫い線を縫い線単位で表示部に順次表示する。【選択図】図１１
2019025046.tif 000002
【特許請求の範囲】
【請求項１】
縫製データに含まれる複数の縫い線を表示する表示部と、
前記表示部を制御し、複数の前記縫い線を個々に表示する制御部と、を備える縫製データ表示装置において、
操作者の指示を受付ける操作部を備え、
前記制御部は、
前記操作部が受付けた前記操作者の操作に従って、前記縫製データが指定する前記縫い線の縫い順に基づき、複数の前記縫い線を縫い線単位で前記表示部に順次表示する、
ことを特徴とする縫製データ表示装置。
【請求項２】
前記制御部は、現在の前記縫い順に対応する前記縫い線を前記表示部に強調的に表示することを特徴とする請求項１に記載の縫製データ表示装置。
【請求項３】
前記制御部は、複数の前記縫い線を縫い順に従って個々に表示する領域を前記表示部は表示し、
前記制御部は、現在の前記縫い順に対応する前記縫い線より前に表示した前記縫い線を、前記領域から削除し、前記領域に現在の前記縫い順に対応する前記縫い線を最初に前記表示部に表示することを特徴とする請求項１又は２に記載の縫製データ表示装置。
【請求項４】
前記制御部は、前記領域の現在の前記縫い順に対応する前記縫い線を強調的に前記表示部に表示することを特徴とする請求項３に記載の縫製データ表示装置。
【請求項５】
前記表示部は、前記操作者が選択可能な再生ボタンを更に備え、
前記制御部は、前記操作者が前記再生ボタンを選択した時に、前記縫い順に基づき、複数の前記縫い線を前記縫い線単位で前記表示部に順次表示することを特徴とする請求項１〜４の何れか一に記載の縫製データ表示装置。
【請求項６】
前記表示部は、進捗バーを更に備え、
前記進捗バーは、前記縫い順に応じて進行することを特徴とする請求項１〜５の何れか一に記載の縫製データ表示装置。
【請求項７】
前記操作者が、前記進捗バーを移動した時に、前記進捗バーの移動位置に対応する前記縫い順の前記縫い線迄を同時に表示することを特徴とする請求項６に記載の縫製データ表示装置。
【請求項８】
前記表示部は、前記縫い順に基づき、複数の前記縫い線を前記縫い線単位で順次表示する第一表示部と、複数の前記縫い線を前記縫い順に従って個々に表示する第二表示部とを有することを特徴する請求項１〜４の何れか一に記載の縫製データ表示装置。
【請求項９】
前記第二表示部は、前記操作者が選択可能な再生ボタンを更に備え、
前記第一表示部は、前記操作者が前記再生ボタンを選択した時に、前記縫い順に基づき、複数の前記縫い線を前記縫い線単位で順次表示することを特徴とする請求項８に記載の縫製データ表示装置。
【請求項１０】
前記第二表示部は、進捗バーを備え、
前記進捗バーは、前記縫い順に応じて進行することを特徴とする請求項８又は９に記載の縫製データ表示装置。
【請求項１１】
前記操作者が、前記進捗バーを移動した時に、前記進捗バーの移動位置に対応する前記縫い順の前記縫い線迄を同時に前記第一表示部に表示することを特徴とする請求項１０に記載の縫製データ表示装置。
【請求項１２】
請求項１〜１１の何れか一に記載の縫製データ表示装置を備えることを特徴とする縫製装置。
【発明の詳細な説明】
【技術分野】
【０００１】
本発明は、縫製データ表示装置及び縫製装置に関する。
【背景技術】
【０００２】
縫製データ表示装置は、縫製データに含まれる複数の縫い線を表示する。縫製データ表示装置の中には、例えば、各縫い線の針落ち点を順番に所定の時間間隔で表示するスロー表示機能を有する縫製データ表示装置がある（例えば、特許文献１を参照）。
【先行技術文献】
【特許文献】
【０００３】
【特許文献１】特開平５−５７０７４号公報
【発明の概要】
【発明が解決しようとする課題】
【０００４】
従来の縫製データ表示装置は、全ての縫い線を縫い順に従って表示する為に、スロー表示機能を使い、各縫い線の針落ち点を順番に表示する方法しかなかった。故に、縫い線の数が多くなる程、全ての縫い線を縫い順に従って表示するのにより多くの時間が掛かる問題があった。故に、縫製データの作成が非効率であった。
【０００５】
本発明の目的は、縫い線を縫い順に従って表示する時間を短縮できる縫製データ表示装置及び縫製装置を提供することである。
【課題を解決するための手段】
【０００６】
本開示の第一形態に係る縫製データ表示装置は、縫製データに含まれる複数の縫い線を表示する表示部と、表示部を制御し、複数の縫い線を個々に表示する制御部とを備える縫製データ表示装置において、操作者の指示を受付ける操作部を備え、制御部は、操作部が受付けた操作者の操作に従って、縫製データが指定する縫い線の縫い順に基づき、複数の縫い線を縫い線単位で表示部に順次表示することを特徴とする。
【０００７】
上記第一形態の縫製データ表示装置は、操作者が縫製データの縫い線の縫い順を知りたい時に、縫い線単位で簡単に確認できる。また、縫製データ表示装置は、スロー表示機能と比較して、表示時間を短縮できるので、作業効率が向上する。
【０００８】
第一形態の制御部は、現在の縫い順に対応する縫い線を表示部に強調的に表示しても良い。例えば、縫製データ表示装置は、多くの縫い線を表示した中で、現在の縫い順に対応する縫い線を強調的に表示するので、操作者は現在の縫い順を容易に理解できる。故に、縫い順を見誤る可能性が低減し、操作者は、繰り返し再生する必要が無くなるので、作業効率が向上する。
【０００９】
第一形態の制御部は、複数の前記縫い線を縫い順に従って個々に表示する領域を表示部表示し、制御部は、現在の縫い順に対応する縫い線より前に表示した縫い線を、領域から削除し、領域に現在の縫い順に対応する縫い線を最初に表示部に表示しても良い。操作者は、縫い順に従って縫い線を個々に表示した領域を見れば、次以降の縫い線を容易に確認できる。
【００１０】
第一形態の制御部は、領域の現在の縫い順に対応する縫い線を強調的に表示部に表示しても良い。縫い順に従って縫い線を個々に表示した領域を見れば、操作者は、縫い線の縫い順を容易に理解でき、且つ次以降の縫い線を容易に確認できる。故に、操作者は、繰り返し再生する必要が無くなるので、作業効率が向上する。
【００１１】
第一形態の表示部は、操作者が選択可能な再生ボタンを更に備え、制御部は、操作者が再生ボタンを選択した時に、縫い順に基づき、複数の縫い線を縫い線単位で表示部に順次表示しても良い。縫製データ表示装置は、簡単な操作で、縫い線を縫い線単位で縫い順に従って表示できる。
【００１２】
第一形態の表示部は、進捗バーを更に備え、進捗バーは、縫い順に応じて進行しても良い。進捗バーは縫い順に応じて進行するので、操作者は、縫い順の進行状況を一目で確認できる。
【００１３】
第一形態において、操作者が、進捗バーを移動した時に、進捗バーの移動位置に対応する縫い順の縫い線迄を同時に表示しても良い。例えば、万が一、縫い線の縫い順を見誤ったとしても、縫製データ表示装置は、進捗バーで任意の縫い順から再生を開始することができる。故に、操作者は、また最初から縫い順を再生する必要がないので、作業効率が向上する。
【００１４】
第一形態の表示部は、縫い順に基づき、複数の縫い線を縫い線単位で順次表示する第一表示部と、複数の縫い線を前記縫い順に従って個々に表示する第二表示部とを有しても良い。縫製データ表示装置は、第一表示部と第二表示部とに分かれているので、より見易くなり、見誤りを低減できる。
【００１５】
第一形態の第二表示部は、操作者が選択可能な再生ボタンを更に備え、第一表示部は、操作者が再生ボタンを選択した時に、縫い順に基づき、複数の縫い線を縫い線単位で順次表示しても良い。縫製データ表示装置は、簡単な操作で、縫い線を縫い線単位で縫い順に従って表示できる。
【００１６】
第一形態の第二表示部は、進捗バーを備え、進捗バーは、縫い順に応じて進行しても良い。進捗バーは縫い順に応じて進行するので、操作者は、縫い順の進行状況を一目で確認できる。
【００１７】
第一形態において、操作者が、進捗バーを移動した時に、進捗バーの移動位置に対応する縫い順の縫い線迄を同時に第一表示部に表示しても良い。例えば、万が一、操作者が縫い線の縫い順を見誤ったとしても、縫製データ表示装置は、進捗バーで任意の縫い順から再生を開始できる。故に、操作者は、また最初から縫い順を再生する必要がないので、作業効率が向上する。
【００１８】
本開示の第二形態に係る縫製装置は、第一形態に係る縫製データ表示装置を備えることを特徴とする。第一形態と同様の効果を奏する。
【図面の簡単な説明】
【００１９】
【図１】端末装置１０と縫製装置２０とのネットワーク構成の一例を示す図である。
【図２】端末装置１０の電気的構成を示すブロック図である。
【図３】縫製データに含まれる全ての縫い線を表示した例を示す図である。
【図４】縫い順再生ボタンＲＳＢを選択した直後の画面であり、縫い始点ＳＳ０のみを表示した例を示す図である。
【図５】最初の縫い順の縫い線を表示した例を示す図である。
【図６】二番目の縫い順迄の縫い線を表示した例を示す図である。
【図７】三番目の縫い順迄の縫い線を表示した例を示す図である。
【図８】四番目の縫い順迄の縫い線を表示した例を示す図である。
【図９】五番目の縫い順迄の縫い線を表示した例を示す図である。
【図１０】最後の縫い順迄の縫い線を表示した例を示す図である。
【図１１】縫い順再生処理の流れ図である。
【図１２】変形例の二番目の縫い順迄の縫い線を表示した例を示す図である。
【発明を実施するための形態】
【００２０】
本実施形態を、図面を参照して説明する。本実施形態では、縫製データ表示装置の例である端末装置１０を例に本開示の内容を説明するが、縫製装置２０が備える操作パネルで本開示の内容を実現しても良い。該時、操作パネルが本発明の「縫製データ表示装置」に相当する。縫製装置２０の一例はミシンである。
【００２１】
＜端末装置１０と縫製装置２０との接続構成＞
図１に示す如く、端末装置１０は、一又は複数の縫製装置２０とネットワーク３０を介して接続する。ネットワーク３０は、イントラネット、インターネット等であり、有線、無線の何れでも良いし、混在していても良い。端末装置１０と縫製装置２０の少なくとも一部はネットワーク３０を介して接続していなくとも良い。端末装置１０は、例えば、ＰＣ(Personal Computer)、タブレット、高機能携帯等である。
【００２２】
＜端末装置１０の構成＞
図２に示す如く、端末装置１０は、ＣＰＵ(Central Processing Unit)１１、記憶部１２、操作部１３、表示部１４、出入力部１５、通信部１６等で構成し、夫々バス１７を介して接続する。
【００２３】
ＣＰＵ１１は、記憶部１２に記憶する制御プログラムを読み出し、端末装置１０を制御する。また、ＣＰＵ１１は、記憶部１２に記憶する例えば縫製データを読み出し、操作者の操作に従って後述の縫い順再生処理を実行する。記憶部１２は、ＲＯＭ(Read Only Memory)、ＲＡＭ(Random Access Memory)、ＨＤＤ(Hard Disc Drive)等で構成する。ＲＯＭは、制御プログラム等を記憶する。ＲＡＭは、ワークスペース等として機能する。ＨＤＤは、縫製データ等の各種プログラム、各種のパラメータ等を記憶する。
【００２４】
操作部１３は、キーボード、テンキー、表示部１４の画面上のタッチパネル等で構成する。操作者は、例えば、操作部１３を操作することで、縫製データを作成する。端末装置１０は、例えば、ネットワーク３０を介して、操作者が作成した縫製データを縫製装置２０に送信する。操作者は、後述する縫い順再生ボタンＲＳＢを選択し、後述する縫い順再生処理を実行する。
【００２５】
表示部１４は、ＣＲＴ（Cathode Ray Tube）、液晶モニタ、有機ＥＬ(Electro Luminescence)等のディスプレイ装置等で構成する。表示部１４の画面は、縫い線等を表示する。出入力部１５は、ＳＤ(Secure Digital)メモリカードスロット、ＵＳＢ(Universal Serial Bus)（登録商標）ポート等で構成する。縫製データは、ＳＤメモリカード、ＵＳＢメモリの何れかに記憶し、縫製装置２０のＳＤメモリカードスロット、ＵＳＢポートを介して縫製装置２０に移すことも可能である。
【００２６】
通信部１６は、無線モジュールと有線モジュールの内の少なくとも一方を有する。端末装置１０は、通信部１６を有さなくても良く、ＵＳＢポートに接続可能な無線モジュールで、縫製装置２０とネットワーク３０を介して接続しても良い。
【００２７】
＜縫い順再生方法＞
図３〜図１０を参照して、本実施形態の縫い順再生方法について説明する。図３は、表示部１４の画面の一例であり、縫製データに含まれる全ての縫い線を縫い順に従って、表示した例である。図３に示す画面の例は、上側にメニューバーとコマンドバーを配置し、コマンドバーの下側に表示領域ＡＲ１を配置する。表示領域ＡＲ１は、縫い線を表示する領域である。図中のＳＳｋ、ＳＥｋ（ｋ＝１，２，・・・，６）は、各縫い線の始点と終点を夫々示す。ミシンは始点から縫い始め、終点で縫い糸を切断することで一つの縫い線を縫製する。ＳＳ０は縫い始点を示す。ＳＳｋとＳＥｋの間の実線は縫い線を示し、実際の縫い線は複数の針落ち点を含む。針落ち点は布に対しミシンの縫針が刺さる予定位置である。一点鎖線はミシンの縫針が布に刺さらずに移動する際の移動軌跡を示す仮想線である。以下、メニューバーとコマンドバーと表示領域ＡＲ１等から構成する画面をメイン画面と称する。メニューバー、コマンドバー、表示領域ＡＲ１の各配置の位置は任意で良い。
【００２８】
図３の例では、表示部１４は、メイン画面に重畳表示して、縫い順表示画面を表示した。具体的に、縫い順表示画面は、表示領域ＡＲ１内の右端近傍に表示する。図３の例では、縫い順表示画面の左下部に、縫い順再生ボタンＲＳＢを配置し、縫い順再生ボタンＲＳＢの右側に進捗バーＰＢを配置する。進捗バーＰＢは、縫い線の表示に応じて、移動する。例えば、縫い線の数が図３の例の如く、六個である時には、縫い線の表示の進捗に同調して六段階移動して左側の開始位置から右側の最終位置に到達する。また、縫い順表示画面の略中央には、縫い順に従って、縫い線単位で縫い線を表示する縫い順表示領域ＡＲ２を配置する。操作者は縫い順表示画面の右端近傍に設けたスクロールバーを上下に移動することで、全ての縫い線の縫い順を確認できる。縫い順表示領域ＡＲ２、縫い順再生ボタンＲＳＢ、進捗バーＰＢの各配置の位置は任意で良い。
【００２９】
図４は、操作者が縫い順再生ボタンＲＳＢを選択した直後の画面の例を示す。表示部１４は、この時点では、表示領域ＡＲ１には、縫い始点ＳＳ０のみを表示する。図４に示す如く、縫い順再生ボタンＲＳＢは停止ボタンＲＳＢに変わる。表示部１４は、縫い順の再生が始まると、所定の時間間隔で縫い順に従って、縫い線単位で縫い線を表示領域ＡＲ１に順次表示する。所定の時間間隔の一例は、針位置を順番に表示するスロー表示の標準時間間隔（１００×（９０−５０）／１０＝４００ｍｓ）である。
【００３０】
図５は、図３の例の、最初の縫い線を表示した図である。図５に示す如く、縫い線は、本具体例では、長方形で囲まれている。縫い線始点ＳＳ１と縫い線終点ＳＥ１は、長方形の線上にある。長方形で囲むことで、現在の縫い順の縫い線を強調的に表示し、操作者が見誤らないようにできる。故に、操作者は何度も繰り返し再生する必要が無くなる為、端末装置１０は、縫い順の確認時間を短縮し、作業効率が向上する。現在の縫い順の縫い線を長方形で囲む方法は、現在の縫い順の縫い線を強調的に表示する方法の一例に過ぎず、縫い線の色を変えたり、縫い線の線を太くしたり、縫い線を長方形以外の形の枠で囲んでも良い。同様に、表示部１４は、縫い順表示領域ＡＲ２の縫い順を示す番号（この時は「Ｎｏ．１」）をハイライト表示する。表示部１４は、縫い順表示領域ＡＲ２において縫い順を示す番号でなく対応する縫い線の枠で囲まれた領域をマーキングする等しても良い。
【００３１】
図６は、図３の例の、一番目と二番目の縫い線を表示した図である。図５に示す如く、表示部１４は、二番目の縫い線を長方形で囲み、強調的に表示した。表示部１４は、縫い順表示領域ＡＲ２の縫い線の一覧において、現在の縫い順を示す番号（この時は、「Ｎｏ．２」）をハイライト表示する。現在の縫い順の縫い線を、縫い順表示領域ＡＲ２の縫い線の一覧においてハイライト表示することで、操作者が、現在の縫い順を見誤らないようにできる。故に、操作者は何度も繰り返し再生する必要が無くなる為、端末装置１０は、縫い順の確認時間を短縮し、作業効率が向上する。
【００３２】
図７は、図３の例の、一番目〜三番目の縫い順の縫い線を表示した図である。図７に示す如く、表示部１４は、三番目の縫い線を長方形で囲んで強調的に表示し、縫い順表示領域ＡＲ２の縫い線の一覧において、現在の縫い順を示す番号（この時は、「Ｎｏ．３」）をハイライト表示する。
【００３３】
図８は、図３の例の、一番目〜四番目の縫い順の縫い線を表示した図である。図８に示す如く、表示部１４は、四番目の縫い線を長方形で囲んで強調的に表示し、縫い順表示領域ＡＲ２の縫い線の一覧において、現在の縫い順の縫い線を表示し、現在の縫い順を示す番号（この時は、「Ｎｏ．４」）をハイライト表示する。
【００３４】
図９は、図３の例の、一番目〜五番目の縫い順の縫い線を表示した図である。図９に示す如く、表示部１４は、五番目の縫い線を長方形で囲んで強調的に表示し、縫い順表示領域ＡＲ２の縫い線の一覧において、現在の縫い順の縫い線を表示し、現在の縫い順を示す番号（この時は、「Ｎｏ．５」）をハイライト表示する。
【００３５】
図１０は、図３の例の、一番目〜六番目の縫い順の縫い線を表示した図である。図１０に示す如く、表示部１４は、六番目の縫い線を長方形で囲んで強調的に表示し、縫い順表示領域ＡＲ２の縫い線の一覧において、現在の縫い順の縫い線を表示し、現在の縫い順を示す番号（この時は、「Ｎｏ．６」）をハイライト表示する。本実施形態では、表示部１４は、以上のように、縫い順に従って、縫い線単位で順次縫い線を表示領域ＡＲ１に表示する。
【００３６】
以上は、操作者が縫い順再生ボタンＲＳＢを選択した時の、縫い順再生の方法である。縫い順再生ボタンＲＳＢを選択する以外に、操作者は進捗バーＰＢを移動して、縫い順再生を実行できる。例えば、操作者が、縫い順が二番目に対応する位置に進捗バーＰＢを移動すると、表示部１４は、図６に示す画面を表示する。表示部１４は、一番目と二番目の縫い線を同時に表示し、二番目の縫い線を強調的に表示する。この後、表示部１４は、三番目以降の縫い順の縫い線を上述した方法に従って表示する。ＣＰＵ１１は、進捗バーＰＢを一番目、三番目、四番目、・・・・に対応する位置に移動した時も同様の処理を行う。
【００３７】
＜縫い順再生処理＞
図１１を参照して、本実施形態の縫い順再生処理の流れを説明する。縫い順再生処理は、表示部１４が図３の例を表示した状態で操作者が、縫い順再生ボタンＲＳＢを選択すること、又は進捗バーＰＢを移動することをトリガとして開始する。
【００３８】
ＣＰＵ１１は、操作者が縫い順再生ボタンＲＳＢを選択したか判定する（Ｓ１）。ＣＰＵ１１は、操作者が縫い順再生ボタンＲＳＢを選択していないと判定した時は（Ｓ１：ＮＯ）、操作者が、進捗バーＰＢを移動したか判定する（Ｓ２）。ＣＰＵ１１は、操作者が進捗バーＰＢを移動していないと判定した時は（Ｓ２：ＮＯ）、Ｓ１に戻り、前述の処理を繰り返す。
【００３９】
ＣＰＵ１１は、操作者が縫い順再生ボタンＲＳＢを選択したと判定した時は（Ｓ１：ＹＥＳ）、表示部１４を制御して、縫い順再生ボタンＲＳＢを停止ボタンＲＳＢに変更すると共に（Ｓ３）、メイン画面の表示領域ＡＲ１に縫い始点ＳＳ０以外を非表示にする（Ｓ４）。
【００４０】
ＣＰＵ１１は、表示領域ＡＲ１に、縫い順に従って、縫い線単位で縫い線を所定の時間間隔で順次表示する（Ｓ５）。ＣＰＵ１１は、全ての縫い線を表示領域ＡＲ１に表示したか判定する（Ｓ６）。ＣＰＵ１１は、全ての縫い線を表示したと判定した時は（Ｓ６：ＹＥＳ）、縫い順再生処理を終了する。ＣＰＵ１１は、全ての縫い線を表示していないと判定した時は（Ｓ６：ＮＯ）、操作者が停止ボタンＲＳＢを選択したか判定する（Ｓ７）。ＣＰＵ１１は、操作者が停止ボタンＲＳＢを選択していないと判定した時に（Ｓ７：ＮＯ）、操作者が、進捗バーＰＢを移動したか判定する（Ｓ８）。
【００４１】
ＣＰＵ１１は、操作者が進捗バーＰＢを移動したと判定した時に（Ｓ８：ＹＥＳ）、後述のＳ１１に進める。ＣＰＵ１１は、操作者が進捗バーＰＢを移動していないと判定した時に（Ｓ８：ＮＯ）、Ｓ５に戻る。Ｓ７において、ＣＰＵ１１は、操作者が停止ボタンＲＳＢを選択したと判定した時に（Ｓ７：ＹＥＳ）、縫い順再生を停止し、表示領域ＡＲ１に全ての縫い線を表示する（Ｓ９）。ＣＰＵ１１は、停止ボタンＲＳＢを縫い順再生ボタンＲＳＢに変更し、進捗バーＰＢを最初の位置に戻す（Ｓ１０）。ＣＰＵ１１は、縫い順再生処理を終了する。
【００４２】
Ｓ２又はＳ８において、ＣＰＵ１１は、操作者が進捗バーＰＢを移動したと判定した時は（Ｓ２：ＹＥＳ）、進捗バーＰＢの移動位置に対応する縫い順の縫い線まで、同時に表示領域ＡＲ１に表示する（Ｓ１１）。ＣＰＵ１１は、進捗バーＰＢの移動位置に対応する縫い順の次の縫い順以降を縫い線単位で所定の時間間隔にて順次表示する（Ｓ１２）。ＣＰＵ１１は、Ｓ６に進め、前述の処理（Ｓ６〜Ｓ１０）を実行する。
【００４３】
＜主な効果＞
端末装置１０は、縫い順に従って、縫い線単位で縫い線を順次表示する。故に、従来のスロー表示より早く縫い順を操作者に示すことができ、作業効率が向上できる。端末装置１０は、現在の縫い順に対応する縫い線を強調的に表示する。例えば、表示部１４に、非常に多くの縫い線が表示されている状況であっても、操作者は縫い線の縫い順を容易に理解でき、且つ現在の縫い順に対応する縫い線を見誤る可能性を低減できる。故に、操作者は、繰り返し再生することが無くなるので、作業効率が向上する。
【００４４】
端末装置１０は、操作者が、進捗バーＰＢを移動した時に、移動した位置に対応する縫い順の縫い線までを表示領域ＡＲ１に同時に表示し、それ以降の縫い線を縫い順に従って、縫い線単位で順次表示する。例えば、万が一、操作者が縫い線の縫い順を見誤ったとしても、端末装置１０は、進捗バーＰＢで任意の縫い順から再生を開始できる。故に、操作者は、また最初から縫い順を再生する必要がないので、作業効率が向上する。
【００４５】
＜変形例＞
上記実施形態では、縫い順表示画面をメイン画面に重畳表示したが、これに限定されず、一つの画面上に両方を表示しても良い。
【００４６】
端末装置１０は、縫い順表示領域ＡＲ２から、現在の縫い順より前に表示した縫い線を削除し、現在の縫い順の縫い線を縫い順表示領域ＡＲ２の最初に表示してもよい。例えば図１２は、図３の例の、一番目と二番目の縫い線を表示した図である。図１２に示す如く、表示部１４は、二番目の縫い線を長方形で囲んで強調的に表示する。図１２に示す如く、表示部１４は、縫い順表示領域ＡＲ２の縫い線の一覧から、現在の縫い順より前の縫い順の縫い線（この時は、一番目の縫い線）を削除して表示する。縫い順表示領域ＡＲ２の縫い線の一覧は、図６と異なり、二番目の縫い線を一番上に表示する。表示部１４は、縫い順表示領域ＡＲ２の縫い線の一覧において、現在の縫い順を示す番号（この時は、「Ｎｏ．２」）をハイライト表示する。現在の縫い順より前の縫い線を、縫い順表示領域ＡＲ２の縫い線の一覧から削除して表示することで、操作者が、現在の縫い順を見誤らないようにできる。故に、操作者は何度も繰り返し再生する必要が無くなる為、端末装置１０は、縫い順の確認時間を短縮し、作業効率が向上する。操作者は、現在の縫い順以降の縫い線を容易に確認できる。
【００４７】
縫い順再生処理を実行する為のプログラム等を、インターネット上のサーバ装置が有するディスク装置等に記憶し、端末装置１０に各種のプログラムをダウンロード等しても良い。
【００４８】
実施形態に応じて、ＲＯＭ、ＲＡＭ以外の他の種類の記憶装置が利用してもよい。例えば、端末装置１０は、ＣＡＭ(Content Addressable Memory)、ＳＲＡＭ(Static Random Access Memory)、ＳＤＲＡＭ(Synchronous Dynamic Random Access Memory)等の記憶装置を有してもよい。
【００４９】
実施形態に応じて、端末装置１０の電気的構成は図２と異なっていても良く、図２に例示した規格・種類以外のその他のハードウェアを端末装置１０に適用できる。
【００５０】
例えば、図２に示す端末装置１０の制御部は、ハードウェア回路で実現しても良い。具体的には、ＣＰＵ１１の代わりに、ＦＰＧＡ(Field Programmable Gate Array)等のリコンフィギュラブル回路、又はＡＳＩＣ(Application Specific Integrated Circuit)等で、制御部を実現しても良い。ＣＰＵ１１とハードウェア回路の双方で、制御部を実現しても良い。
【００５１】
＜その他＞
端末装置１０は、「縫製データ表示装置」の一例である。縫い順再生処理を実行するＣＰＵ１１は、「制御部」の一例である。表示部１４は、「表示部」の一例である。表示領域ＡＲ１は、「第一画面」の一例である。縫い順表示画面は、「領域」、「第二画面」の一例である。操作部１３は、「操作部」の一例である。
【符号の説明】
【００５２】
１０  端末装置
１１  ＣＰＵ
１３  操作部
１４  表示部
【図１】
2019025046.tif 000003
【図２】
2019025046.tif 000004
【図３】
2019025046.tif 000005
【図４】
2019025046.tif 000006
【図５】
2019025046.tif 000007
【図６】
2019025046.tif 000008
【図７】
2019025046.tif 000009
【図８】
2019025046.tif 000010
【図９】
2019025046.tif 000011
【図１０】
2019025046.tif 000012
【図１１】
2019025046.tif 000013
【図１２】
2019025046.tif 000014